(57)【要約】【課題】取付面から雨水が漏れる建物に、取付用ベース枠を介して感知器を設置しても、大雨等の際に感知器が誤作動しない。【解決手段】  内部に感知器本体２への給電用端子１３を備え、感知器本体２を着脱自在に支承すると共に、天井などの感知器取付面に固定設置される感知器取付用ベース枠１であって、このベース枠１の側壁部１２の外側に、これを取付面に固定するための取付部材１１と、給電用端子１３へ導電線３を誘導するための通し孔１２ａとを、それぞれ配置した。【選択図】図１
0003114648.tif 000002
【実用新案登録請求の範囲】
【請求項１】
内部に感知器本体（２）への給電用端子（１３）を備え、感知器本体（２）を着脱自在に支承すると共に、天井などの感知器取付面に固定設置される感知器取付用ベース枠（１）であって、このベース枠（１）の側壁部（１２）の外側に、これを前記取付面に固定するための取付部材（１１）と、前記給電用端子（１３）へ導電線（３）を誘導するための通し孔（１２ａ）とを、それぞれ配置したことを特徴とする感知器取付用ベース枠。
【考案の詳細な説明】
【技術分野】
【０００１】
本考案は、天井などに固定され、感知器本体に対して着脱自在な感知器取付用ベース枠に関する。
【背景技術】
【０００２】
従来より、熱感知器や煙感知器等は、天井面に固定される取付用ベース枠を介して、電気的且つ機械的に着脱自在に構成されている。この取付用ベース枠は、内側に、天井面に固定する螺子を挿通するための螺子通し孔と、天井からの導電線を通すための導電線通し孔とを有している（例えば、特許文献１参照）。そして、この螺子通し孔と導電線通し孔は、取付用ベース枠の上板部に設けられている。
【０００３】
そのため、台風や大雨などに際して、天井裏に雨水などが入り込んだ場合、天井面から雨水が漏れ、この雨水が、取付用ベース枠の螺子通し孔及び導電線通し孔を通じて感知器内に溜まることがある。これによって感知器が誤作動し不要な警報音が鳴ったりする場合がある。例えば、築後の年月が長い建物などの場合このようなことがときどき起る。
【特許文献１】実開昭５８−５１８０号公報
【考案の開示】
【考案が解決しようとする課題】
【０００４】
そこで、本考案が解決しようとする課題は、天井面から雨水が漏れる建物に対して、取付用ベース枠を介して感知器を設置しても、大雨等の際に感知器が誤作動しないような感知器取付用ベース枠を提供することにある。
【課題を解決するための手段】
【０００５】
上記課題を解決するために、本考案に係る感知器取付用ベース枠は、内部に感知器本体への給電用端子を備え、感知器本体を着脱自在に支承すると共に、天井などの感知器取付面に固定設置される感知器取付用ベース枠であって、このベース枠の側壁部の外側に、これを取付面に固定するための取付部材と、給電用端子へ導電線を誘導するための通し孔とを、それぞれ配置した。
【考案の効果】
【０００６】
本考案は上記した構造であって、天井などの取付面から漏れた雨水は、ベース枠の外側に設けた取付部材及び通し孔を通じるので、感知器の内部に雨水が溜まることなく、感知器の誤作動を防止することができる。即ち、天井からの導電線を通すための通し孔も、外側の側壁部に設けられているので、雨水が感知器内に浸入しない構造となっている。
【考案を実施するための最良の形態】
【０００７】
以下、添付図面に基づいて、本考案に係る感知器取付用ベース枠の一実施例について詳細に説明する。
【０００８】
図１は、本実施例の全体断面図である。図２は、感知器取付用ベース枠を下方から観た斜視図である。図１の如く、符号１は感知器取付用ベース枠、符号２は熱感知器本体である。取付用ベース枠１は、天井などの感知器取付面３０に固定設置され、感知器本体２を機械的且つ電気的に保持する。図１及び図２の如く、取付用ベース枠１は、円板状の上板部１０と、この上板部１０に設けられた側壁部１２とを備えている。
【０００９】
上板部１０の内面には、感知器本体２に設けられた一対の出力端子２５，２５に係合、支承可能な、一対の給電用端子１３，１３が設けられている。各給電用端子１３は、把持部１３ａを有しており、把持部１３ａの開口部に出力端子２５を抜き差しすることによって、取付用ベース枠１と感知器本体２とが、着脱自在に構成されている。着脱動作は、感知器本体２を回転させて、出力端子２５を給電用端子１３から抜き差しする。
【００１０】
上板部１０の外側には、一対の取付部材１１が突出して設けられている。各取付部材１１は、螺子通し孔１１ａと、導電線通し孔１１ｂとを有している。更に、側壁部１２にも、一対の導電線通し孔１２ａ，１２ａが略水平方向に設けられている。そして、取付部材１１の螺子通し孔１１ａに、取付用螺子４を挿通し、この取付用螺子４と取付部材２とを介して、取付用ベース枠１を取付面３０に固定する。又、天井からの２本の導電線３が、取付部材１１の導電線通し部１１ｂを通じ、取付用ベース枠１の外側から側壁部１２の導電線通し部１２ａを通じて、給電用端子１３に誘導、接続されている。取付部材１１に導電線通し部１１ｂを設けなくてもよいが、取付部材１１に設けることによって、天井に設けた導電線を通す孔を取付部材１１で隠すことができる。
【００１１】
図２の如く、感知器本体２は、本体部２０と、この本体部２０の下部に設けられた感熱板２１とを備えている。本体部２０には、前記した一対の出力端子２５，２５が設けられている。本体部２０と感熱板２１との間に、感熱室２６が形成されており、この感熱室２６内にダイヤフラム２２が設けられている。又、ダイヤフラム２２と本体部２０との間に、一対のバネ板２３，２４が設けられている。そして、一方のバネ板２３端部に固定接点２３ａが、他方のバネ板２４端部に可動接点２４ａが設けられている。
【００１２】
バネ板２３の上方には、調整ネジ２７が設けられており、この調整ネジ２７を下方に突出させバネ板２３に当接させている。この調整ネジ２７を回転して、固定接点２３ａの位置を調整し、固定接点２３ａと可動接点２４ａとの距離を調整できるようになっている。
【００１３】
そして、感熱室２６の温度変化による空気の膨張によりダイヤフラム２２が変化し、バネ板２４が作動して可動接点２４ａを移動させて、固定接点２３ａと可動接点２４ａとが接続する。従って、火災の際の温度上昇により、固定接点２３ａと可動接点２４ａとが接続し、一方の導電線３からの電気が、接合片１３，１３、出力端２５，２５及びバネ板２３，２４の接点２３ａ，２４ａを介して、他方の導電線３へ流れることにより、火災を感知するようにしている。
【００１４】
本考案に係る感知器取付用ベース枠１の構造は、以上のように構成されているので、大雨等の際に、取付面３０から漏れる雨水は、取付部材１１の螺子通し孔１１ａ及び導電線通し孔１１ｂを通じ、これら各孔１１ａ，１１ｂは、上板部１０に突出して設けられており、側壁部１２に略水平方向に導電線通し孔１２ａが設けられているので、雨水が取付用ベース枠１及び感知器本体２の内部に溜まることない。これによって、大雨の際に、感知器本体２が誤操作することを防ぐことができる。
【００１５】
上記実施例では、感知器は作動式熱感知器であるが煙感知器でもよく、又給電用端子に出力端子を支承する構成でなく給電線差込み方式でもよい。要は、天井に固定される取付用ベース枠の外周が感知器本体の外周と略同一であって、この感知器本体内に雨水が通って誤作動しないように、取付用ベース枠の外側に螺子通し孔及び導電線通し孔を設ける構造とする。
【図面の簡単な説明】
【００１６】
【図１】本実施例の全体断面図である。
【図２】感知器取付用ベース枠を下方から観た斜視図である。
【符号の説明】
【００１７】
１  感知器取付用ベース枠
２  感知器
１０  上板部
１２  側壁部
１３  給電用端子
２５  出力端子
１１ａ  螺子通し孔
１２ａ  導電線通し孔
３０  感知器取付面
【図１】
0003114648.tif 000003
【図２】
0003114648.tif 000004